(57)【要約】【課題】  駐車装置の利用者とメンテナンス業者ともに納得がいく使用料金・保守料金算出装置を提供することを目的とする。【解決手段】     本発明は、月極契約者が利用する機械式駐車装置において、該機械式駐車装置を構成する機器或いは施設の使用頻度を計測する手段を備え、その計測結果に応じて該機械式駐車装置の保守料金を決定する決定手段を設ける。又、月極契約者毎に該機械式駐車装置を構成する機器或いは施設の使用頻度を計測する手段を備え、その計測結果に応じて保守料金の分担を決定する手段を設ける。さらに、月極契約者毎に該機械式駐車装置を構成する機器或いは施設の使用頻度を計測する手段を備え、その計測結果から各月極契約者の利用料金を算出する手段を設け、予め決められた基本料金に該利用料金を加えた金額に基づいて月極料金を決定する、ものである。【選択図】        図１
2005157957.tif 000002
【特許請求の範囲】
【請求項１】
月極契約者が利用する機械式駐車装置において、
該機械式駐車装置を構成する機器或いは施設の使用頻度を計測する手段を備え、その計測結果に応じて該機械式駐車装置の保守料金を決定する決定手段を設けたことを特徴とする機械式駐車装置の料金管理装置。
【請求項２】
前記決定手段は、標準保守料金に対し使用頻度に応じて増減を行う手段であることを特徴とする請求項１に記載の機械式駐車装置の料金管理装置。
【請求項３】
前記決定手段は、最低保守料金に対し使用頻度に応じて加算を行う手段であることを特徴とする請求項１に記載の機械式駐車装置の料金管理装置。
【請求項４】
月極契約者が利用する機械式駐車装置において、
前記月極契約者毎に該機械式駐車装置を構成する機器或いは施設の使用頻度を計測する手段を備え、その計測結果に応じて保守料金の分担を決定する手段を設けたことを特徴とする機械式駐車装置の料金管理装置。
【請求項５】
保守料金の分担は、前記月極契約者の月極料金からなることを特徴とする請求項４に記載の機械式駐車装置の料金管理装置。
【請求項６】
前記保守料金とは、一定の料金であることを特徴とする請求項４に記載の機械式駐車装置の料金管理装置。
【請求項７】
前記保守料金とは、該機械式駐車装置を構成する機器或いは施設の使用頻度に応じて決められる変動料金であることを特徴とする請求項４に記載の機械式駐車装置の料金管理装置。
【請求項８】
月極契約者が利用する機械式駐車装置において、
前記月極契約者毎に該機械式駐車装置を構成する機器或いは施設の使用頻度を計測する手段を備え、その計測結果から各月極契約者の利用料金を算出する手段を設け、予め決められた基本料金に該利用料金を加えた金額に基づいて月極料金を決定する手段を設けたことを特徴とする機械式駐車装置の料金管理装置。
【請求項９】
前記機械式駐車装置は、エレベータ方式駐車装置であることを特徴とする請求項１乃至は請求項８の何れかに記載の機械式駐車装置の管理装置。
【請求項１０】
前記機械式駐車装置は、平面往復方式駐車装置であることを特徴とする請求項１乃至は請求項８の何れかに記載の機械式駐車装置の管理装置。
【発明の詳細な説明】
【技術分野】
【０００１】
本発明は、月極契約者が利用する機械式駐車装置の料金管理装置に関するものである。
【背景技術】
【０００２】
一般に、駐車場の利用料金については、駐車した時間に対して課金（時間帯によっても可変）されるもので、小売店の駐車場などでは買い物をすればその分を割り引く特典などが施される場合も多々見られる。駐車場については、自走式だけでなく機械式駐車装置を使用する場合もあり、機械式駐車装置の場合では専門の業者に定期的にメンテナンスを依頼することになるため、当然ながら保守料金を駐車装置の所有者がそのメンテナンス業者に定期的に支払うことになるが、利用料金自体が極めて硬直的に決められており、また利用料金と保守料金との間には直接関連させるものがなく、根拠立てて保守料金を決められることがなかった。（例えば、特許文献１及び特許文献２参照）
【特許文献１】特開平９−２１７５１３号
【特許文献２】特開平９−１３４４５９号
【発明の開示】
【発明が解決しようとする課題】
【０００３】
使用頻度が増せば当然、構成機器及び施設の損傷も増え、メンテナンス上も不利になるため、管理・保守費用も嵩むが、各料金体系についてその点の考慮が全くなされておらず、月極料金及び保守料金は常に固定され、柔軟性に欠けていた。
【課題を解決するための手段】
【０００４】
本発明は、月極契約者が利用する機械式駐車装置において、
1.該機械式駐車装置を構成する機器或いは施設の使用頻度を計測する手段を備え、その計測結果に応じて該機械式駐車装置の保守料金を決定する決定手段を設ける。
2.月極契約者毎に該機械式駐車装置を構成する機器或いは施設の使用頻度を計測する手段を備え、その計測結果に応じて保守料金の分担を決定する手段を設ける。
3.月極契約者毎に該機械式駐車装置を構成する機器或いは施設の使用頻度を計測する手段を備え、その計測結果から各月極契約者の利用料金を算出する手段を設け、予め決められた基本料金に該利用料金を加えた金額に基づいて月極料金を決定する。
ものである。
【発明の効果】
【０００５】
本発明は、駐車装置の稼動率が上がれば保守料金が自動的に高くなり、下がれば保守料金が低くなるため、客先や利用者・管理者にとって極めて客観的で柔軟な料金体系を構築できる。利用者の使用状況やテナント毎の活動状況を反映させることができるため、管理費の一部として料金徴収しても納得が得られやすい。
【発明を実施するための最良の形態】
【０００６】
本発明の形態としては、次の三つの形態を提案している。
1.保守料金を駐車装置の稼動状況に応じて変動させる。
2.一定の保守料金の中で、利用者の使用頻度に応じて保守料金を分担させる。
3.上記１及び２の組合せとして、保守料金を駐車装置の稼動率に合わせて変動させ、その保守料金の分担については、利用者の使用状況に応じて行わせる。
ものである。
【実施例１】
【０００７】
以下、本発明の一実施例について、図面を用いて説明する。図１は本発明の一実施例を示す全体構成図、図２は月極料金及び保守料金の課金方法を示す説明図である。本実施例では、駐車装置の稼動状況に応じて保守料金を決定し、その分担については各月極契約者の使用頻度に応じて行う場合について説明している。
【０００８】
図中、１０は機械式駐車装置の制御装置、１１は制御装置１０内のＣＰＵ、１２は本発明に係る例えば各駐車室の使用回数を記憶する使用回数レジスタで、月極契約者Ｃ1〜Ｃn毎に使用回数ｔ1〜ｔnがカウントされ、トータルＴのカウント（ｔ1+…+ｔn）及び標準Ｔ0における使用回数ｔ0も記憶されている。１３は基本料金レジスタで、図２に示すように基本料金総額ａを月極利用者数ｎで割った各月極契約者に対する基本料金を記憶している。１４は利用料金レジスタで、図２に示すように、月極契約者毎にその月の利用回数に応じた利用料金（単位利用料*利用回数）とトータルＴの利用料金ｂ*（ｔ1+…+ｔn）及び標準Ｔ0における利用料金ｂ*ｔ0も記憶している。１５は図２に示すように使用料金レジスタで、基本料金と利用料金を足した月極契約者毎の使用料金とトータルＴの使用料金ａ+ｂ*（ｔ1+…+ｔn）及び標準Ｔ0における使用料金ａ+ｂ*ｔ0も記憶している。１６は標準保守料金レジスタで、予めメンテナンス業者との間で決められた標準的な料金Ｓが記憶されている。この料金Ｓは、Ｓ＝ａ+ｂ*ｔ0−αで表され、このαは例えば駐車装置が標準的に利用された場合における駐車装置の所有者の運用利益を示す。ここで、基本料金総額ａと単位利用料ｂについては、標準保守料金Ｓを元に所有者が適宜決定すればよい金額である。図２に示すように実際の保守料金については、Ｓ+ｂ*［ｔ0−（ｔ1+…+ｔn）］で表されることになる。１７，１８はインターフェース、１９は入庫釦、２０は出庫釦、２１は月極契約者判別装置で、入庫釦１９や出庫釦２０が操作される度に暗証番号などによる月極契約者判別装置２１により、どの月極契約者が駐車装置を利用しようとしているかが分かるようになっている。
【０００９】
このような管理装置であれば、図３に示すように、標準的な保守料金Ｓを基準にして、各月における駐車装置の使用頻度（ｔ1+…+ｔn）に応じて実際の保守料金が増減され、極めて柔軟に決定されることになる。そして、この保守料金については各契約者の使用頻度に応じて月極料金として分配されることになり、極めて合理的な料金体系を構築できるものである。この標準的な保守料金の代わりに最低料金Ｓ0を決めて、それを基準に使用頻度に応じて加算させ実際の保守料金を算出させるようにしてもかまわない。
【実施例２】
【００１０】
以上述べた装置では、駐車室の使用回数を勘案した場合について述べているが、車両を載せるパレットやエレベータや走行台車のような車両搬送装置などの使用回数をパラメータに選んでもかまわない。さらに、本発明に係る機械式駐車装置については、エレベータ方式や平面往復方式など何れの駐車装置にも適用が可能で、特に限定する必要もない。
【産業上の利用可能性】
【００１１】
以上の説明では、利用者を基準に使用料金や保守料金を算出しているが、複数の会社が入居している事務所用のビルや、マンションの機械式駐車装置のようなものであっても本発明を適用して各住戸ごと或いは各会社毎に同様に管理を行うこともできるのは明らかである。
【図面の簡単な説明】
【００１２】
【図１】本発明の一実施例を示す全体構成図である。
【図２】本発明に係る使用料金・保守料金の課金方法を示す説明図である。
【図３】本発明装置の効果を説明する説明図である。
【符号の説明】
【００１３】
１０ 制御装置
１１ ＣＰＵ
１２ 使用回数レジスタ
１３ 基本料金レジスタ
１４ 利用料金レジスタ
１５ 使用料金レジスタ
１６ 標準保守料金レジスタ
２１ 月極契約者判別装置
【図１】
2005157957.tif 000003
【図２】
2005157957.tif 000004
【図３】
2005157957.tif 000005